(57)【特許請求の範囲】
【請求項１】
無線ＬＡＮ通信機能を有する無線端末と、複数の無線ＬＡＮアクセスポイントと、情報管理装置とを備える情報提供システムにおいて、
前記無線端末は、
当該無線端末のユーザの行動履歴に応じた前記無線ＬＡＮアクセスポイントの識別情報のリストを生成するリスト生成部と、
前記リストに含まれる識別情報を有する前記無線ＬＡＮアクセスポイントの通信エリアへの進入を検出する進入検出部と、
前記進入検出部によって前記通信エリアへの進入が検出された場合に、進入した前記通信エリアを有する前記無線ＬＡＮアクセスポイントの識別情報を前記情報管理装置へ送信する情報送信部と、
前記情報送信部による前記識別情報の送信に応じて前記情報管理装置から送信される情報を受信する情報受信部と、を備え、
前記情報管理装置は、
前記無線端末から送信された前記識別情報を受信し、受信した前記識別情報に応じた情報を前記無線端末へ送信する情報提供部を備える
ことを特徴とする情報提供システム。
【請求項２】
前記情報管理装置は、
前記無線ＬＡＮアクセスポイントの識別情報と前記無線ＬＡＮアクセスポイントの設置場所に関する場所情報とを関連付けて記憶する場所情報記憶部を備え、
前記情報管理装置の前記情報提供部は、
前記無線端末から送信された前記無線ＬＡＮアクセスポイントの識別情報に対応する場所情報を前記場所情報記憶部から取得し、当該場所情報に応じた情報を前記無線端末へ送信する
ことを特徴とする請求項１に記載の情報提供システム。
【請求項３】
前記無線端末の情報受信部は、
前記情報管理装置からクーポン情報を取得し、
前記無線端末の前記リスト生成部は、
前記ユーザによる前記クーポン情報の利用場所に設置された前記無線ＬＡＮアクセスポイントの識別情報を前記リストに追加する
ことを特徴とする請求項１または２に記載の情報提供システム。
【請求項４】
前記無線端末の前記情報送信部は、
前記ユーザによるエリアの入力情報を前記情報管理装置へ送信し、
前記情報管理装置の前記情報提供部は、
前記無線端末から前記入力情報を受信し、当該入力情報に応じた前記クーポン情報を前記無線端末へ送信する
ことを特徴とする請求項３に記載の情報提供システム。
【請求項５】
前記無線端末の前記情報受信部は、
広告情報へのアクセスのためのアクセス情報を取得し、
前記無線端末の前記リスト生成部は、
前記広告情報へのアクセス結果に基づいて、当該広告情報に対応する前記無線ＬＡＮアクセスポイントの識別情報を前記リストに追加する
ことを特徴とする請求項１〜４のいずれか１つに記載の情報提供システム。
【請求項６】
前記リスト生成部は、
前記通信エリアへの進入状態が所定の条件を満たす前記無線ＬＡＮアクセスポイントの識別情報を前記リストに追加する
ことを特徴とする請求項１〜５のいずれか１つに記載の情報提供システム。
【請求項７】
前記リスト生成部は、
前記無線ＬＡＮアクセスポイントでの滞在時間、および／または、前記無線ＬＡＮアクセスポイントから受信される無線信号の電波強度に基づき、前記通信エリアへの進入状態を判定する
ことを特徴とする請求項６に記載の情報提供システム。
【請求項８】
ユーザの行動履歴に応じた無線ＬＡＮアクセスポイントの識別情報のリストを生成するリスト生成部と、
前記リストに含まれる識別情報を有する前記無線ＬＡＮアクセスポイントの通信エリアへの進入を検出する進入検出部と、
前記進入検出部によって前記通信エリアへの進入が検出された場合に、進入した前記通信エリアを有する前記無線ＬＡＮアクセスポイントの識別情報を情報管理装置へ送信する情報送信部と、
前記情報送信部による前記識別情報の送信に応じて前記情報管理装置から送信される情報を受信する情報受信部と、を備える
ことを特徴とする無線端末。
【請求項９】
コンピュータを、
ユーザの行動履歴に応じた無線ＬＡＮアクセスポイントの識別情報のリストを生成するリスト生成部、
前記リストに含まれる識別情報を有する前記無線ＬＡＮアクセスポイントの通信エリアへの進入を検出する進入検出部、
前記進入検出部によって前記通信エリアへの進入が検出された場合に、進入した前記通信エリアを有する前記無線ＬＡＮアクセスポイントの識別情報を情報管理装置へ送信する情報送信部、
前記情報送信部による前記識別情報の送信に応じて前記情報管理装置から送信される情報を受信する情報受信部、として機能させる
ことを特徴とするプログラム。
【請求項１０】
情報管理装置から無線端末への情報提供方法であって、
前記無線端末が、当該無線端末のユーザの行動履歴に応じた無線ＬＡＮアクセスポイントの識別情報のリストを生成するリスト生成ステップと、
前記無線端末が、前記リストに含まれる識別情報を有する前記無線ＬＡＮアクセスポイントの通信エリアへの進入を検出する進入検出ステップと、
前記無線端末が、前記進入検出ステップによって前記通信エリアへの進入が検出された場合に、進入した前記通信エリアを有する前記無線ＬＡＮアクセスポイントの識別情報を前記情報管理装置へ送信する情報送信ステップと、
前記情報管理装置が、前記無線端末から送信された前記識別情報を受信し、受信した前記識別情報に応じた情報を前記無線端末へ送信する情報提供ステップと、
前記無線端末が、前記情報送信ステップによる前記識別情報の送信に応じて前記情報管理装置から送信される情報を受信する情報受信ステップと、を含む
ことを特徴とする情報提供方法。
【発明の詳細な説明】
【技術分野】
【０００１】
本発明は、情報提供システム、無線端末、プログラムおよび情報提供方法に関する。
【背景技術】
【０００２】
近年、公衆無線ＬＡＮ（Local Area Network）通信が急速に普及している。駅、空港、店舗等の様々な場所には無線ＬＡＮアクセスポイントが設置され、また、パーソナルコンピュータ、携帯電話機、ポータブルゲーム機等の様々なモバイル機器には無線ＬＡＮ通信機能が標準搭載されるようになってきた。
【０００３】
かかる公衆無線ＬＡＮ通信はさらに普及することが予測され、無線端末であるモバイル機器のユーザは、さらに様々な場所で高速なインターネットへ接続環境を利用することが可能となると予測される。
【０００４】
そこで、本出願人は、無線ＬＡＮアクセスポイントと情報管理装置とを備え、無線端末のユーザへの情報通知を適切に行うことができる情報提供システムを提案している（特許文献１参照）。
【先行技術文献】
【特許文献】
【０００５】
【特許文献１】特許第５１７５４０１号公報
【発明の概要】
【発明が解決しようとする課題】
【０００６】
特許文献１に記載の技術では、無線端末のユーザへの情報通知を適切に行うことができるが、無線ＬＡＮアクセスポイントに対し、無線ＬＡＮ通信エリア内に存在する無線端末を検出して検出情報を情報管理装置へ送信する機能を付加しなければならない。
【０００７】
本願は、上記に鑑みてなされたものであって、情報管理装置へ検出情報を送信する機能を無線ＬＡＮアクセスポイントに設けることなく、無線通信エリアに進入した無線端末に情報管理装置からの情報を提供することができる情報提供システム、無線端末、プログラムおよび情報提供方法を提供することを目的とする。
【課題を解決するための手段】
【０００８】
本願に係る情報提供システムは、無線ＬＡＮ通信機能を有する無線端末と、複数の無線ＬＡＮアクセスポイントと、情報管理装置とを備える。前記無線端末は、リスト生成部と、進入検出部と、情報送信部と、情報受信部とを備える。前記リスト生成部は、前記無線端末のユーザの行動履歴に応じた前記無線ＬＡＮアクセスポイントの識別情報のリストを生成する。前記進入検出部は、前記リストに含まれる識別情報を有する前記無線ＬＡＮアクセスポイントの通信エリアへの進入を検出する。前記情報送信部は、前記進入検出部によって前記通信エリアへの進入が検出された場合に、進入した前記通信エリアを有する前記無線ＬＡＮアクセスポイントの識別情報を前記情報管理装置へ送信する。前記情報受信部は、前記情報送信部による前記識別情報の送信に応じて前記情報管理装置から送信される情報を受信する。前記情報管理装置は、前記無線端末から送信された前記識別情報を受信し、受信した前記識別情報に応じた情報を前記無線端末へ送信する情報提供部を備える。
【発明の効果】
【０００９】
実施形態の一態様によれば、検出情報を無線ＬＡＮアクセスポイントから情報管理装置へ送信することなく、無線通信エリアに進入した無線端末に情報管理装置からの情報を提供することができる情報提供システム、無線端末、プログラムおよび情報提供方法を提供することができる。
【図面の簡単な説明】
【００１０】
【図１Ａ】図１Ａは、実施形態に係る情報提供処理の説明図（その１）である。
【図１Ｂ】図１Ｂは、実施形態に係る情報提供処理の説明図（その２）である。
【図２】図２は、実施形態に係る情報提供システムの構成例を示す図である。
【図３】図３は、図２に示す無線ＬＡＮアクセスポイントの構成例を示す図である。
【図４】図４は、図２に示す無線端末の構成例を示す図である。
【図５】図５は、無線端末のＡＰ−ＩＤリストの一例を示す図である。
【図６】図６は、無線端末の設定情報の一例を示す図である。
【図７】図７は、無線端末の滞在状態判定テーブルの一例を示す図である。
【図８】図８は、無線端末の行動履歴情報の一例を示す図である。
【図９】図９は、無線端末の表示部に表示される画面の例を示す図である。
【図１０】図１０は、図２に示す情報管理装置の構成例を示す図である。
【図１１】図１１は、情報管理装置の広告情報テーブルの一例を示す図である。
【図１２】図１２は、情報管理装置の場所情報テーブルの一例を示す図である。
【図１３】図１３は、実施形態に係る無線端末の情報処理の一例を示すフローチャートである。
【図１４】図１４は、実施形態に係る情報管理装置の情報処理の一例を示すフローチャートである。
【発明を実施するための形態】
【００１１】
以下に、本願に係る情報提供システム、無線端末、プログラムおよび情報提供方法の実施形態について図面を参照しつつ詳細に説明する。なお、この実施形態により本願に係る情報提供システム、無線端末、プログラムおよび情報提供方法が限定されるものではない。なお、以下においては、データベースをＤＢと記載する。
【００１２】
［１．情報提供処理の構成］
まず、実施形態に係る情報提供処理について説明する。図１Ａおよび図１Ｂは、実施形態に係る情報提供処理の説明図であり、本実施形態においては情報提供システムにより情報提供処理が実行される。なお、以下においては、広告コンテンツを情報提供処理における提供情報の一例として説明するが、提供情報は広告コンテンツに限定されるものではない。
【００１３】
実施形態に係る情報提供システムは、図１Ａに示すように、無線端末と、無線ＬＡＮ（Local  Area  Network）アクセスポイント（無線ＬＡＮ−ＡＰ）と、情報管理装置とを有する。無線ＬＡＮアクセスポイントおよび情報管理装置は、通信ネットワークを介して接続される。また、無線端末は、無線ＬＡＮアクセスポイント経由で通信ネットワークに接続されるが、通信ネットワークに直接接続することもできる。
【００１４】
なお、図示していないが、無線ＬＡＮアクセスポイントは、事業者の店舗や施設などの場所毎に１以上設置される。事業者の店舗や施設は、例えば、小売店、飲食店、美容院・理容院、病院、ホテル、複合レジャー施設などの店舗の他、コンサートやスポーツなどが行われるイベント会場である。なお、事業者の店舗や施設は、事業所と言い換えることもできる。
【００１５】
情報管理装置は、広告主端末から入稿された広告情報をＤＢに記憶する。広告情報には、広告コンテンツと配信条件とが含まれる。情報管理装置は、例えば、広告配信業者によって管理され、配信条件を満たすユーザの無線端末へ広告コンテンツを提供する。広告コンテンツは、例えば、テキスト広告、静止画広告、動画広告、バナー広告、アニメーション広告などであり、また、例えば、商品やサービスの情報、クーポン情報、特売情報などである。
【００１６】
また、情報管理装置は、無線ＬＡＮアクセスポイントの識別情報（以下、ＡＰ−ＩＤと記載する）と、無線ＬＡＮアクセスポイントの設置場所に関する情報（以下、設置場所情報と記載する）とを関連付けた情報（以下、ＡＰ情報と記載する）をＤＢに記憶する。
【００１７】
無線端末は、無線ＬＡＮ通信機能を有する端末装置である。無線端末は、ユーザの行動履歴に応じたＡＰ−ＩＤリストを記憶した記憶部を有する。かかるＡＰ−ＩＤリストは、１以上のＡＰ−ＩＤを含むリストであり、ユーザの行動に基づき、無線端末の制御部によって生成および更新される。
【００１８】
無線端末は、ＡＰ−ＩＤリストにＡＰ−ＩＤが含まれる無線ＬＡＮアクセスポイントの無線ＬＡＮ通信エリア（以下、ＡＰ通信エリアと記載する）に進入したことを検出すると、進入情報を情報管理装置へ送信する。これにより、情報管理装置から無線ＬＡＮアクセスポイントの設置情報に応じた広告コンテンツが無線端末へ送信される。
【００１９】
ここで、実施形態に係る情報提供処理の一例について、図１Ｂを参照して説明する。広告主端末は、通信ネットワークを介して広告情報を情報管理装置へ送信することにより広告情報を入稿する（ステップＳ１）。情報管理装置の制御部は、広告主端末から広告情報を受信すると、受信した広告情報をＤＢに記憶する（ステップＳ２）。
【００２０】
また、無線ＬＡＮアクセスポイントを有する事業者ＢＹは、無線ＬＡＮアクセスポイントのＡＰ情報を事業者ＢＹの端末装置から通信ネットワークを介して情報管理装置へ送信する（ステップＳ３）。情報管理装置の制御部は、ＡＰ情報をＤＢに記憶する（ステップＳ４）。
【００２１】
無線端末の制御部は、ユーザの行動に基づき、ＡＰ−ＩＤリストの生成を行う（ステップＳ５）。ここでは、ＡＰ−ＩＤリストには、図１Ａに示すように、「Ａ１０１」、「Ａ１０５」、・・・などのＡＰ−ＩＤが設定されているものとする。ＡＰ−ＩＤは、例えば、無線ＬＡＮアクセスポイントの無線ＬＡＮ通信部のＭＡＣアドレス（Media  Access  Control  address）またはＥＳＳ−ＩＤ（Extended  Service  Set  Identifier）であり、以下においては、便宜上、「Ａ１０１」や「Ａ１０２」などと表記する。
【００２２】
その後、無線端末のユーザが、無線ＬＡＮアクセスポイントのＡＰ通信エリアに進入すると、無線端末は、無線ＬＡＮアクセスポイントから送信される無線信号を検出する（ステップＳ６）。かかる無線信号には、ＡＰ−ＩＤが含まれており、無線端末の制御部は、無線信号に含まれるＡＰ−ＩＤがＡＰ−ＩＤリストに含まれているか否かを判定する。
【００２３】
無線端末の制御部は、無線信号に含まれるＡＰ−ＩＤが「Ａ１０１」である場合、ＡＰ−ＩＤリストに含まれるＡＰ−ＩＤの無線ＬＡＮアクセスポイントのＡＰ通信エリアに進入したことを検出し（ステップＳ７）、ＡＰ−ＩＤ「Ａ１０１」を含む進入情報を通信ネットワーク経由で情報管理装置へ送信する（ステップＳ８）。
【００２４】
情報管理装置の制御部は、無線端末から進入情報を受信すると、無線端末の進入場所に応じた広告コンテンツをＤＢから抽出する（ステップＳ９）。情報管理装置のＤＢには、上述したように、ＡＰ−ＩＤと設置場所情報を関連付けたＡＰ情報が記憶されており、情報管理装置の制御部は、進入情報に含まれるＡＰ−ＩＤに対応する設置場所情報をＤＢから取得する。そして、情報管理装置の制御部は、設置場所情報に対応する配信条件が指定された広告コンテンツをＤＢから抽出する。
【００２５】
情報管理装置の制御部は、ＤＢから抽出した広告コンテンツを通信ネットワーク経由で無線端末へ送信する（ステップＳ１０）。無線端末の制御部は、情報管理装置から広告コンテンツを受信すると、受信した広告コンテンツを表示部に表示する（ステップＳ１１）。また、情報管理装置の制御部は、広告主の広告コンテンツ毎に、無線端末への送信履歴に基づき、事業者ＢＹに対する対価額を算出し、決済処理を行う（ステップＳ１２）。
【００２６】
このように、実施形態に係る情報提供処理では、無線端末のユーザの行動履歴に応じたＡＰ−ＩＤリストに基づいて無線端末から進入情報が送信され、無線端末のユーザに対して広告コンテンツが提供される。したがって、無線端末のユーザの行動に応じた適切な広告コンテンツを無線端末のユーザへ提供することができる。
【００２７】
また、無線ＬＡＮアクセスポイントを有する事業者ＢＹは、ＡＰ情報を事業者ＢＸの情報管理装置へ提供することで、事業者ＢＸから情報提供の対価を得ることができる。したがって、無線ＬＡＮアクセスポイントを有する事業者が積極的に情報提供サービスに参加する動機付けとなり、情報提供サービスの規模の拡大を容易に行うことができる。
【００２８】
［２．情報提供システム１の構成］
図２を用いて、実施形態に係る情報提供システム１の構成例について説明する。図２は、実施形態に係る情報提供システム１の構成例を示す図である。
【００２９】
図２に示すように、情報提供システム１は、複数の無線ＬＡＮアクセスポイント２1〜２m（以下、無線ＬＡＮアクセスポイント２と総称する場合がある）、複数の無線端末３1〜３n（以下、無線端末３と総称する場合がある）と、情報管理装置４とを備える。
【００３０】
無線端末３1〜３nは、それぞれユーザＵ1〜Ｕn（以下、ユーザＵと総称する場合がある）に保持される。また、無線ＬＡＮアクセスポイント２1〜２mおよび情報管理装置４は、通信ネットワーク６に接続される。通信ネットワーク６は、例えば、インターネットなどのＷＡＮ（Wide  Area  Network）である。また、広告主端末５やサイトサーバ８なども通信ネットワーク６に接続される。
【００３１】
無線ＬＡＮアクセスポイント２1〜２mは、無線ＬＡＮ通信によりそれぞれＡＰ通信エリア７1〜７m（以下、ＡＰ通信エリア７と総称する場合がある）内に存在する無線端末３との通信を行い、無線端末３からの要求に応じて通信ネットワーク６に接続された情報管理装置４やサイトサーバ８との間の通信を中継する。
【００３２】
無線ＬＡＮは、例えば、ＩＥＥＥ８０２．１１によって規定される無線ＬＡＮなどがあるが、かかる規格の無線ＬＡＮに限定されるものではない。なお、サイトサーバ８は、無線端末３からの要求に応じてＷｅｂページなどの情報を提供する。
【００３３】
無線端末３は、モバイルＰＣ（Personal  computer）などのように無線ＬＡＮ通信機能を有する端末装置であり、無線ＬＡＮアクセスポイント２との間で通信が可能である。また、無線端末３は、スマートフォンなどのように無線ＬＡＮ通信機能と無線ＷＡＮ通信機能を有する端末装置であってもよく、この場合、無線端末３は、無線ＬＡＮアクセスポイント２および無線ＷＡＮ基地局との間で通信が可能である。なお、無線ＷＡＮ基地局は、通信ネットワーク６に接続される。
【００３４】
無線端末３には、情報通知アプリケーション（以下、情報通知アプリと記載する）がインストールされている。無線端末３は、例えば、通信ネットワーク６を介して情報管理装置４から提供される情報通知アプリプログラムのデータを取得し、内部の記憶部に展開することにより情報通知アプリを実行可能にする。
【００３５】
情報管理装置４は、広告主端末５からの広告情報の入稿を受け付け、無線端末３の進入場所に応じて広告情報に含まれる広告コンテンツを無線端末３へ提供する。以下、無線ＬＡＮアクセスポイント２、無線端末３および情報管理装置４の順にそれぞれの構成を説明する。
【００３６】
［３．無線ＬＡＮアクセスポイント２の構成］
まず、無線ＬＡＮアクセスポイント２の構成例について具体的に説明する。図３は、無線ＬＡＮアクセスポイント２の構成例を示す図である。図３に示すように無線ＬＡＮアクセスポイント２は、無線ＬＡＮ通信部１１と、ＷＡＮ通信部１２と、制御部１３と、記憶部１４とを有する。
【００３７】
無線ＬＡＮ通信部１１は、無線ＬＡＮ通信を行う通信インタフェースであり、無線ＬＡＮ通信機能を搭載した無線端末３との間で情報の送受信を行う。ＷＡＮ通信部１２は、通信ネットワーク６に接続され、通信ネットワーク６に接続された装置（例えば、情報管理装置４やサイトサーバ８）との間で情報の送受信を行う。かかるＷＡＮ通信部１２は、通信ネットワーク６との接続を有線または無線で行う。
【００３８】
制御部１３は、情報中継処理を行う。制御部１３は、例えば、ＡＳＩＣ（Application  Specific  Integrated  Circuit）やＦＰＧＡ（Field  Programmable  Gate  Array）等の集積回路により実現される。制御部１３は、内部のＣＰＵ（Central  Processing  Unit）またはＭＰＵ（Micro  Processing  Unit）によって内部の記憶装置に記憶されたプログラムがＲＡＭを作業領域として実行されることで、情報中継処理を実行する。
【００３９】
制御部１３は、例えば、無線端末３から無線ＬＡＮ通信部１１を介して取得した情報をＷＡＮ通信部１２から情報管理装置４やサイトサーバ８へ送信し、また、情報管理装置４やサイトサーバ８からＷＡＮ通信部１２を介して取得した情報を無線ＬＡＮ通信部１１から無線端末３へ送信する。
【００４０】
なお、無線ＬＡＮ通信部１１は、無線パケット（例えば、ビーコン）をブロードキャストしている。かかる無線パケットには、無線ＬＡＮ通信部１１のＭＡＣアドレスやＥＳＳ−ＩＤの情報が含まれており、無線端末３は、無線ＬＡＮ通信部１１から無線パケットを受信することで、無線ＬＡＮアクセスポイント２のＡＰ−ＩＤを取得することができる。
【００４１】
また、無線ＬＡＮ通信部１１は、無線端末３からプローブ要求と呼ばれる無線パケットがブロードキャストなどによって送信された場合に、プローブ応答と呼ばれる無線パケットを無線端末３へ送信するようにしてもよい。かかるプローブ応答には、無線ＬＡＮ通信部１１のＭＡＣアドレスやＥＳＳ−ＩＤの情報が含まれており、無線端末３は、無線ＬＡＮ通信部１１からプローブ応答を受信することで、無線ＬＡＮアクセスポイント２のＡＰ−ＩＤを取得することができる。
【００４２】
［４．無線端末３］
次に、無線端末３の構成について説明する。図４は、無線端末３の構成例を示す図である。図３に示すように、無線端末３は、無線ＬＡＮ通信部２０と、無線ＷＡＮ通信部２１と、表示部２２と、操作部２３と、位置検出部２４と、記憶部２５と、制御部２６とを有する。無線ＬＡＮ通信部２０は、無線ＬＡＮアクセスポイント２との間で情報の送受信を行う通信インタフェースである。無線ＷＡＮ通信部２１は、無線ＷＡＮ基地局（図示せず）との間で情報の送受信を行う通信インタフェースである。無線ＷＡＮ基地局は、例えば、公衆電話通信網の無線基地局や公衆データ通信網の無線基地局である。
【００４３】
表示部２２は、タッチパネル式のディスプレイである。無線端末３のユーザＵは、表示部２２の画面上を指などで操作することで、表示部２２に表示された情報通知カードアプリの操作画面に対する操作が可能である。かかる表示部２２は、例えば、小型のＬＣＤ（Liquid  Crystal  Display）や有機ＥＬディスプレイである。
【００４４】
操作部２３は、文字、数字およびスペースを入力するためのキー、エンターキーおよび矢印キーなどを含むキーボードや、電源ボタンなどを有する。
【００４５】
位置検出部２４は、ＧＰＳ（Global  Positioning  System）受信機能を有し、無線端末３の現在位置の情報を取得する。現在位置の情報は、緯度および経度であるが、住所であってもよい。
【００４６】
［４．１．記憶部２５］
記憶部２５は、例えば、ＲＡＭ（Random  Access  Memory)、フラッシュメモリ等の半導体メモリ素子、または、ハードディスク、光ディスク等の記憶装置である。かかる記憶部２５は各種プログラムが記憶される。記憶部２５に記憶されるプログラムは、例えば、ＯＳ（Operating  System）、情報管理装置４から取得された情報通知カードアプリプログラムなどである。
【００４７】
また、記憶部２５は、ＡＰ−ＩＤリスト３１、設定情報３２、滞在状態判定テーブル３３、行動履歴情報３４および提供情報３５が記憶される。これらの情報は、制御部２６が情報通知カードアプリを実行することにより、記憶部２５に設定され、更新される。
【００４８】
なお、無線端末３は不図示の読取装置を備えており、制御部２６は、読取装置を経由して記録媒体に記録されている情報通知カードアプリプログラムを読み込んで記憶部２５に記憶することもできる。記録媒体としては、光ディスク、フレキシブルディスク、ハードディスク等が挙げられる。
【００４９】
［４．１．１．ＡＰ−ＩＤリスト３１］
図５は、記憶部２５に記憶されるＡＰ−ＩＤリスト３１の一例を示す図である。図５に示すように、ＡＰ−ＩＤリスト３１は、「第１ＡＰ−ＩＤ」、「第２ＡＰ−ＩＤ」および「順位」が関連付けられた情報であり、リスト生成部４１によって生成および更新される。
【００５０】
「第１ＡＰ−ＩＤ」は、無線ＬＡＮアクセスポイント２のＭＡＣアドレスである。ＭＡＣアドレスは、無線ＬＡＮアクセスポイント２から送信される無線信号に含まれる情報である。
【００５１】
「第２ＡＰ−ＩＤ」は、無線ＬＡＮアクセスポイント２のＥＳＳ−ＩＤと位置を示す緯度経度情報とを組み合わせた情報である。ＥＳＳ−ＩＤは、無線ＬＡＮアクセスポイント２から送信される無線信号に含まれる情報であり、また、緯度経度情報は、位置検出部２４によって検出される無線端末３の現在位置の情報である。
【００５２】
「順位」は、例えば、ユーザＵの嗜好度合いを示し、ユーザＵの嗜好度合いが高い場所のＡＰ−ＩＤほど「順位」が高く設定される。
【００５３】
［４．１．２．設定情報３２］
図６は、記憶部２５に記憶される設定情報３２の一例を示す図である。図６に示すように、設定情報３２は、「登録情報」、「リスト設定感度」および「進入検出感度」を関連付けた情報を含む。
【００５４】
「登録情報」は、「ユーザＩＤ」、「年齢」、「性別」および「エリア」の情報を含む。「ユーザＩＤ」は、無線端末３のユーザＵに固有の識別情報であり、情報管理装置４によって付与される。「年齢」および「性別」は、ユーザＵの年齢および性別を示す情報である。「エリア」は、ユーザＵがよく行くエリアを示す情報である。
【００５５】
「リスト設定感度」は、ＡＰ−ＩＤリスト３１を生成するための基準を示す設定情報であり、「滞在状態」、「進入頻度／進入回数」、「クーポン情報利用」および「広告情報閲覧」の情報が含まれる。「滞在状態」は、滞在状態判定テーブル３３によって判定されるＡＰ通信エリア７での滞在状態の閾値、「進入頻度／進入回数」はＡＰ通信エリア７への進入頻度の閾値またはＡＰ通信エリア７への進入回数の閾値である。
【００５６】
「クーポン情報利用」は、クーポン情報をＡＰ通信エリア７で利用した場合にＡＰ−ＩＤリスト３１にＡＰ通信エリア７に対応するＡＰ−ＩＤを追加するかどうかのフラグである。フラグが「１」である場合、クーポン情報をＡＰ通信エリア７で利用した場合にＡＰ−ＩＤリスト３１へのＡＰ−ＩＤの追加を行い、フラグが「０」である場合、ＡＰ−ＩＤリスト３１へのＡＰ−ＩＤの追加を行わない。
【００５７】
「広告情報閲覧」は、無線ＬＡＮアクセスポイント２の設置場所に対応する広告情報へアクセスした場合に、ＡＰ−ＩＤリスト３１にＡＰ−ＩＤを追加するかどうかのフラグである。フラグが「１」である場合、ＡＰ−ＩＤリスト３１にＡＰ−ＩＤの追加を行い、フラグが「０」である場合、ＡＰ−ＩＤリスト３１にＡＰ−ＩＤの追加を行わない。
【００５８】
「進入検出感度」は、ＡＰ通信エリア７への無線端末３が進入したかどうかを判定するための情報であり、「滞在時間」および「電波強度」の情報を含む。「滞在時間」は、無線端末３のＡＰ通信エリア７での滞在時間である。「電波強度」は、無線ＬＡＮアクセスポイント２の無線信号を無線端末３で受信したときの電波強度である。
【００５９】
［４．１．３．滞在状態判定テーブル３３］
図７は、滞在状態判定テーブル３３の一例を示す図である。滞在状態判定テーブル３３は、滞在状態の種類を滞在時間の長さと電波強度の強さとに関連付けたテーブルである。
【００６０】
図７に示す滞在状態判定テーブル３３の例では、滞在状態の種類は、「通過／中距離」、「通過／近距離」、「徘徊／遠距離」、「徘徊／中距離」、「徘徊／近距離」、「滞在／遠距離」、「滞在／中距離」、「滞在／近距離」である。なお、図７に示す滞在状態の種類は、一例であり、他の種類分けによって滞在状態判定テーブル３３を設定することもできる。
【００６１】
滞在状態判定テーブル３３において、「短」は、滞在時間が第１時間閾値以上第２時間閾値未満である場合を示し、「並」は、滞在時間が第２時間閾値以上第３時間閾値未満である場合を示し、「長」は、滞在時間が第３時間閾値以上である場合を示す。
【００６２】
また、滞在状態判定テーブル３３において、「弱」は、電波強度が第１強度閾値以上第２強度閾値未満である場合を示し、「中」は、電波強度が第２強度閾値以上第３強度閾値未満である場合を示し、「強」は、電波強度が第３強度閾値以上である場合を示す。なお、ここでは、「滞在時間」および「電波強度」をそれぞれ３つの状態に分けているが、２つまたは４つ以上の状態に分けてもよい。
【００６３】
［４．１．４．行動履歴情報３４］
図８は、記憶部２５に記憶される行動履歴情報３４の一例を示す図である。図８に示すように、行動履歴情報３４は、「ＡＰ−ＩＤ」と「行動履歴」とが関連付けられた情報である。なお、「ＡＰ−ＩＤ」は、「第１ＡＰ−ＩＤ」であるが、「第２ＡＰ−ＩＤ」であってもよい。
【００６４】
「行動履歴」は、無線端末３のユーザＵの行動内容を示す情報である。例えば、図８に示す行動履歴情報３４の行動履歴には、無線端末３が進入したＡＰ通信エリア７における滞在日時および電波強度の情報が含まれる。
【００６５】
滞在日時および電波強度は、進入検出部４２によって検出される情報であり、進入検出部４２により行動履歴情報３４に設定される。なお、電波強度は、無線ＬＡＮ通信部２０によって受信される無線ＬＡＮアクセスポイント２からの無線信号の電波強度である。
【００６６】
また、図８に示す行動履歴情報３４の行動履歴には、無線ＬＡＮアクセスポイント２のＡＰ通信エリア７におけるクーポン情報の利用を示す情報が含まれる。クーポン情報の利用を示す情報には、クーポン情報の内容および利用日時の情報が含まれる。
【００６７】
また、図８に示す行動履歴情報３４の行動履歴には、無線ＬＡＮアクセスポイント２の設置場所に対応する広告情報の閲覧を示す情報が含まれる。広告情報の閲覧を示す情報には、広告情報の内容および閲覧日時の情報が含まれる。
【００６８】
［４．１．５．提供情報３５］
提供情報３５は、例えば、情報管理装置４やサイトサーバ８から制御部２６が取得した情報である。提供情報３５は、例えば、情報管理装置４から提供されるクーポン情報や広告情報のアクセス情報である。アクセス情報は、広告情報へのアクセスのための情報であり、例えば、広告情報を提供する装置（例えば、情報管理装置４）のＵＲＬ（Uniform  Resource  Locator）などである。
【００６９】
［４．２．制御部２６］
制御部２６は、例えば、ＡＳＩＣやＦＰＧＡ等の集積回路により実現される。また、制御部２６は、例えば、ＣＰＵやＭＰＵ等によって、記憶部２５に記憶されているプログラムが図示しない内部ＲＡＭを作業領域として実行されることにより後述する情報処理の機能や作用を実現または実行する。
【００７０】
かかる制御部２６は、記憶部２５にプログラムデータが記憶されている情報通知カードアプリを実行することによって、リスト生成部４１、進入検出部４２、情報送信部４３、情報受信部４４および表示制御部４５として機能する。なお、制御部２６の構成は、かかる構成に限られず、後述する情報処理を行う構成であれば他の構成であってもよい。
【００７１】
［４．２．１．リスト生成部４１］
リスト生成部４１は、無線端末３のユーザＵの行動履歴に応じたＡＰ−ＩＤリスト３１を生成および更新する。かかるＡＰ−ＩＤリスト３１に含まれるＡＰ−ＩＤは、ユーザＵの行動に応じた場所に設置された無線ＬＡＮアクセスポイント２のＡＰ−ＩＤである。ユーザＵの行動に応じた場所は、例えば、ユーザＵがよく行く場所、ユーザＵの行動（例えば、クーポン情報の利用や広告情報の閲覧）から判定されたユーザＵの好みの場所、ユーザＵの行動から判定されたユーザＵにお薦めの場所などである。
【００７２】
リスト生成部４１は、記憶部２５に記憶された行動履歴情報３４に基づき、ユーザＵの行動を解析し、ユーザＵがよく行く店や好きな店などを判定し、かかる判定結果に基づき、ＡＰ−ＩＤリスト３１の生成および更新を行う。
【００７３】
具体的には、リスト生成部４１は、行動履歴情報３４に基づき、クーポン情報のユーザによる利用結果、広告情報へのアクセス結果、および、ＡＰ通信エリア７への進入状態などを判定し、ユーザＵがよく行く場所、ユーザＵの好みの場所およびユーザＵにお薦めの場所などユーザＵの行動に応じた場所を判定し、ＡＰ−ＩＤリスト３１の生成および更新を行う。
【００７４】
例えば、リスト生成部４１は、ユーザＵによってクーポン情報が利用されたＡＰ通信エリア７の無線ＬＡＮアクセスポイント２のＡＰ−ＩＤをＡＰ−ＩＤリスト３１に追加する。また、リスト生成部４１は、ユーザＵによってクーポン情報が利用されなかったＡＰ通信エリア７の無線ＬＡＮアクセスポイント２のＡＰ−ＩＤをＡＰ−ＩＤリスト３１から削除することもできる。
【００７５】
また、例えば、リスト生成部４１は、ユーザＵによって閲覧された広告情報に対応する無線ＬＡＮアクセスポイント２のＡＰ−ＩＤをＡＰ−ＩＤリスト３１に追加する。また、リスト生成部４１は、ユーザＵによって閲覧されない広告情報に対応する無線ＬＡＮアクセスポイント２のＡＰ−ＩＤをＡＰ−ＩＤリスト３１から削除することもできる。
【００７６】
また、例えば、リスト生成部４１は、無線端末３のＡＰ通信エリア７への進入頻度、進入回数または進入状態が設定情報３２に設定された条件を満たす無線ＬＡＮアクセスポイント２のＡＰ−ＩＤをＡＰ−ＩＤリスト３１に追加する。
【００７７】
具体的には、リスト生成部４１は、無線端末３のＡＰ通信エリア７への進入頻度が閾値以上である無線ＬＡＮアクセスポイント２のＡＰ−ＩＤをＡＰ−ＩＤリスト３１に追加する。また、リスト生成部４１は、無線端末３のＡＰ通信エリア７への進入回数が閾値以上である無線ＬＡＮアクセスポイント２のＡＰ−ＩＤをＡＰ−ＩＤリスト３１に追加する。
【００７８】
また、リスト生成部４１は、行動履歴情報３４から無線端末３のＡＰ通信エリア７における滞在時間および電波強度を抽出し、記憶部２５に記憶された滞在状態判定テーブル３３に基づき、無線端末３のＡＰ通信エリア７への進入状態の種類を判定する。
【００７９】
例えば、設定情報３２の「滞在状態」として「滞在／近滞在」および「滞在／中距離」が設定され、設定情報３２の「進入回数」として「３回」が設定されているとする。この場合、リスト生成部４１は、「滞在／近滞在」または「滞在／中距離」の状態が「３回」以上検出されたＡＰ通信エリア７のＡＰ−ＩＤをＡＰ−ＩＤリスト３１に追加する。
【００８０】
また、設定情報３２の「滞在状態」として「徘徊／遠距離」、「徘徊／中距離」および「徘徊／近距離」が設定され、設定情報３２の「進入頻度」として「２回／週」が設定されているとする。この場合、リスト生成部４１は、「徘徊／遠距離」、「徘徊／中距離」および「徘徊／近距離」の状態が「２回／週」以上の頻度で検出されたＡＰ通信エリア７のＡＰ−ＩＤをＡＰ−ＩＤリスト３１に追加する。
【００８１】
なお、リスト生成部４１は、設定情報３２において「登録情報」の「エリア」が設定されている場合、「エリア」に設定されているエリアに存在するＡＰ−ＩＤのみをＡＰ−ＩＤリスト３１に追加することもできる。記憶部２５には、無線ＬＡＮアクセスポイント２の無線信号を受信した場合の緯度経度情報とＡＰ−ＩＤとが関連付けられたＡＰ位置情報が記憶されており、リスト生成部４１は、記憶部２５に記憶されているＡＰ位置情報に基づいて、エリアを判定する。
【００８２】
［４．２．２．進入検出部４２］
進入検出部４２は、ＡＰ−ＩＤリスト３１に含まれるＡＰ−ＩＤを有する無線ＬＡＮアクセスポイント２のＡＰ通信エリア７への進入を検出する。
【００８３】
例えば、進入検出部４２は、無線ＬＡＮアクセスポイント２から送信される無線信号に含まれるＭＡＣアドレスがＡＰ−ＩＤとしてＡＰ−ＩＤリスト３１に含まれている場合、ＡＰ−ＩＤリスト３１に対応するＡＰ通信エリア７へ進入したことを検出する。
【００８４】
また、無線ＬＡＮ通信部２０が動作していない場合、進入検出部４２は、位置検出部２４からの移動経度の情報を取得し、かかる移動経度と一致または近傍の緯度経度の情報を含む第２ＡＰ−ＩＤが含まれている場合、ＡＰ−ＩＤリスト３１に対応するＡＰ通信エリア７への進入を検出する。
【００８５】
例えば、ＡＰ−ＩＤリスト３１が図５に示す状態であるとする。この場合、進入検出部４２は、位置検出部２４によって検出された緯度経度情報が「緯度経度Ａ」である場合、ＡＰ−ＩＤリスト３１に含まれるＡＰ−ＩＤ「Ａ１０１」に対応するＡＰ通信エリア７へ無線端末３が進入したことを検出する。
【００８６】
また、進入検出部４２は、設定情報３２に含まれる「進入検出感度」の条件を満たす場合に、ＡＰ通信エリア７への進入を検出する。具体的には、無線ＬＡＮアクセスポイント２から送信される無線信号の電波強度が設定情報３２に含まれる「進入検出感度」の「電波強度」以上であり、また、無線ＬＡＮアクセスポイント２から送信される無線信号の受信継続期間が設定情報３２に含まれる「進入検出感度」の「滞在時間」以上である場合に、ＡＰ通信エリア７へ進入したことを検出する。
【００８７】
このように、進入検出部４２は、ＡＰ−ＩＤリスト３１にＡＰ−ＩＤが含まれる無線ＬＡＮアクセスポイント２のＡＰ通信エリア７に進入し、かつ、「進入検出感度」の条件を満たした場合に、ＡＰ−ＩＤリスト３１に含まれるＡＰ−ＩＤを有する無線ＬＡＮアクセスポイント２のＡＰ通信エリア７へ進入したと判定する。
【００８８】
そして、進入検出部４２は、ＡＰ−ＩＤリスト３１に含まれるＡＰ−ＩＤを有する無線ＬＡＮアクセスポイント２のＡＰ通信エリア７への進入を検出すると、進入情報を情報送信部４３へ出力する。進入情報は、例えば、無線端末３が進入したＡＰ通信エリア７を有する無線ＬＡＮアクセスポイント２のＡＰ−ＩＤ（例えば、第１ＡＰ−ＩＤ）と、無線端末３のユーザＵのユーザＩＤとを含む情報である。なお、進入検出部４２は、進入情報にはユーザＩＤを含まないようにしてもよい。
【００８９】
また、進入検出部４２は、ＡＰ−ＩＤリスト３１に関係なく、無線ＬＡＮアクセスポイント２のＡＰ通信エリア７への進入を検出すると、検出結果を行動履歴としてＡＰ−ＩＤと関連付けて行動履歴情報３４へ追加する。
【００９０】
例えば、ＡＰ−ＩＤ「Ａ１０１」の無線ＬＡＮアクセスポイント２のＡＰ通信エリア７に進入した日時が２０１３年６月１９日の１２時２８分５０秒から１２時３８分１５秒であり、無線ＬＡＮ通信部２０で受信した無線ＬＡＮアクセスポイント２の無線信号の電波強度が「８」であるとする。
【００９１】
この場合、進入検出部４２は、図８に示すように、ＡＰ−ＩＤ「Ａ１０１」の行動履歴として、「滞在時間：２０１３／６／１９  １２：２８：５０−１２：３８：１５」と「電波強度：８」の情報を行動履歴情報３４に追加する。なお、ここでは、説明の便宜上、電波強度を相対的な強度として０〜１０の範囲であるとしているが、ｄＢｍを単位としてもよい。
【００９２】
なお、進入検出部４２は、無線ＬＡＮアクセスポイント２の無線信号を受信した場合、位置検出部２４から緯度経度情報を取得し、かかる緯度経度情報を無線ＬＡＮアクセスポイント２のＡＰ−ＩＤと関連付けて上述したＡＰ位置情報として記憶部２５に記憶する。
【００９３】
［４．２．３．情報送信部４３］
情報送信部４３は、進入検出部４２によってＡＰ通信エリア７への進入が検出された場合に、進入検出部４２から取得した進入情報を情報管理装置４へ送信する。かかる進入情報は、上述したように、無線端末３が進入している無線ＬＡＮアクセスポイント２のＡＰ−ＩＤを含む。
【００９４】
また、情報送信部４３は、操作部２３へのユーザ操作に応じた要求を送信する。例えば、操作部２３へのユーザ操作により情報通知アプリの初期設定が行われた場合、情報送信部４３は、登録情報を含む登録要求を無線ＬＡＮ通信部２０または無線ＷＡＮ通信部２１を介して情報管理装置４へ送信する。登録情報は、例えば、設定情報３２の「登録情報」である。
【００９５】
また、例えば、操作部２３へのユーザ操作により広告情報のアクセス情報が選択された場合、情報送信部４３は、アクセス情報に基づいたアクセス先に対する広告情報送信要求を無線ＬＡＮ通信部２０または無線ＷＡＮ通信部２１を介してアクセス先の装置（例えば、情報管理装置４またはサイトサーバ８）へ送信する。アクセス情報は、例えば、提供情報３５に含まれる情報である。
【００９６】
［４．２．４．情報受信部４４］
情報受信部４４は、情報送信部４３による進入情報の送信に応じて情報管理装置４から送信される広告コンテンツを受信し、受信した広告コンテンツを記憶部２５の提供情報３５に追加する。なお、進入情報に対して情報管理装置４から送信される情報は、広告コンテンツに加え、ニュースや周辺情報なども含む場合がある。
【００９７】
また、情報受信部４４は、情報送信部４３による登録要求の送信に応じて情報管理装置４から送信されるクーポン情報を受信し、受信したクーポン情報を記憶部２５の提供情報３５に追加する。また、情報受信部４４は、情報送信部４３による登録要求の送信に応じて情報管理装置４から送信される登録情報を受信し、受信した登録情報を記憶部２５の設定情報３２に追加する。
【００９８】
また、情報受信部４４は、情報送信部４３による広告情報送信要求の送信に応じて情報管理装置４から送信される広告情報を受信し、受信した広告情報を記憶部２５の提供情報３５に追加する。
【００９９】
また、情報受信部４４は、広告情報送信要求に応じた広告情報を受信した場合に、かかる広告情報の閲覧履歴を行動履歴情報３４に追加する。広告情報には、関連する無線ＬＡＮアクセスポイント２のＡＰ−ＩＤが含まれており、情報受信部４４は、広告情報の閲覧履歴を広告情報に含まれるＡＰ−ＩＤに対応付けて行動履歴情報３４へ追加する。図８に示す行動履歴情報３４では、ＡＰ−ＩＤ「Ａ１０５」の無線ＬＡＮアクセスポイント２に対応する広告情報Ａｂが閲覧されたことを示す情報が含まれている。
【０１００】
なお、広告情報の閲覧履歴は、情報送信部４３がアクセス情報に基づいたアクセス先に対する広告情報送信要求を送信した場合に、情報送信部４３によって行動履歴情報３４へ追加されるようにしてもよい。
【０１０１】
［４．２．５．表示制御部４５］
表示制御部４５は、記憶部２５に記憶された設定情報３２や提供情報３５を表示部２２に表示する。設定情報３２には、上述した「登録情報」、「リスト設定感度」および「進入検出感度」の他、例えば、初期設定画面や情報表示画面などのレイアウト情報が含まれる。
【０１０２】
表示制御部４５は、例えば、ユーザＵの操作部２３への操作（以下、ユーザ操作と記載する）により初期設定が選択された場合、記憶部２５から設定情報３２やレイアウト情報を取得し、初期設定画面を表示部２２に表示する。図９（ａ）は、初期設定画面の一例を示す図である。かかる初期設定画面において、ユーザＵは、操作部２３への入力により、「年齢」、「性別」および「エリア」を入力し、「登録確定」ボタン８１を操作すると、表示制御部４５は、入力された登録情報を設定情報３２に追加し、また、入力された登録情報を含む登録要求を情報送信部４３が情報管理装置４へ送信する。
【０１０３】
また、情報送信部４３によって広告コンテンツが受信されて提供情報３５に追加された場合、提供情報３５に追加された広告コンテンツを記憶部２５から抽出して表示部２２に表示する。図９（ｂ）は、表示部２２に表示される広告コンテンツ８２の一例を示す図である。
【０１０４】
このように、ユーザＵの行動履歴に応じたＡＰ−ＩＤリスト３１にＡＰ−ＩＤが含まれる無線ＬＡＮアクセスポイント２に無線端末３が進入した場合に、ユーザＵに広告コンテンツが提供される。なお、図９（ｂ）に示す例では、広告コンテンツ８２にアクセス情報８５が付加されている。アクセス情報８５には、「カフェＸ」のＵＲＬが含まれる。かかるアクセス情報８５が、ユーザ操作により選択されると、情報送信部４３からアクセス先へのアクセスが行われ、「カフェＸ」の広告情報（例えば、カフェＸのＷｅｂページ）が情報受信部４４により取得される。
【０１０５】
また、表示制御部４５は、例えば、情報送信部４３によってアクセス情報が受信されて提供情報３５に追加された場合、提供情報３５に追加されたアクセス情報を記憶部２５から抽出して表示部２２に表示する。図９（ｃ）は、表示部２２に表示されるアクセス情報８３の一例を示す図である。
【０１０６】
図９（ｃ）に示す例では、アクセス情報８３として、「カフェＸ」、「カフェＹ」および「カフェＺ」のＵＲＬがそれぞれ含まれる。かかるアクセス情報８３のいずれかのＵＲＬが、ユーザ操作により選択されると、上述したように、情報送信部４３からアクセス先へのアクセスが行われ、アクセス情報８３に対応する広告情報が情報受信部４４により取得される。
【０１０７】
また、表示制御部４５は、例えば、ユーザ操作により提供情報３５のクーポン情報が選択された場合、クーポン情報を記憶部２５から抽出して表示部２２に表示する。図９（ｄ）は、表示部２２に表示されるクーポン情報８４の一例を示す図である。
【０１０８】
図９（ｄ）に示すクーポン情報は、二次元バーコードとしているが、一次元バーコードやその他の情報であってもよい。表示制御部４５は、クーポン情報８４を表示部２２に表示すると、かかるクーポン情報が利用されたと判定し、クーポン情報８４の利用履歴として行動履歴情報３４に追加する。
【０１０９】
クーポン情報８４の利用履歴には、利用されたクーポン情報８４の内容が含まれる。表示制御部４５は、進入検出部４２で現在検出されている無線ＬＡＮアクセスポイント２のＡＰ−ＩＤを利用されたクーポン情報の内容と共に、行動履歴情報３４に追加する。図８に示す行動履歴情報３４には、ＡＰ−ＩＤ「Ａ１０１」でクーポン情報Ｃａが利用されたことを示す情報が含まれている。
【０１１０】
なお、表示制御部４５は、例えば、ユーザ操作により初期設定が選択された場合、初期設定画面として、「登録情報」に加え、「リスト設定感度」や「進入検出感度」などの情報の入力枠を表示部２２に表示することもできる。この場合、ユーザＵは、操作部２３への入力により、「登録情報」に加え、「リスト設定感度」や「進入検出感度」を入力し、「登録確定」ボタン８１を操作すると、表示制御部４５は、入力された情報を設定情報３２に追加し、また、情報送信部４３が登録要求を情報管理装置４へ送信する。
【０１１１】
また、表示制御部４５は、ユーザ操作により設定情報変更が選択された場合、設定情報変更画面として、「リスト設定感度」や「進入検出感度」の入力枠を表示部２２に表示し、ユーザ操作により入力された情報に基づき、設定情報３２を更新する。
【０１１２】
［５．情報管理装置４］
次に、情報管理装置４の構成について具体的に説明する。図１０は、情報管理装置４の構成例を示す図である。図１０に示すように情報管理装置４は、通信部５０と、記憶部５１と、制御部５２とを有する。さらに、記憶部５１は、広告情報ＤＢ６１と、場所情報ＤＢ６２と、ユーザ情報ＤＢ６３とを有し、制御部５２は、広告情報取得部７１と、場所情報取得部７２と、情報提供部７３と、決済処理部７４とを有する。
【０１１３】
通信部５０は、ＮＩＣ等のインタフェースである。制御部５２は、通信部５０および通信ネットワーク６を介して、無線ＬＡＮアクセスポイント２、無線端末３およびサイトサーバ８との間で各種の情報を送受信することができる。広告情報ＤＢ６１、場所情報ＤＢ６２およびユーザ情報ＤＢ６３は、例えば、ハードディスク、ＲＡＭ、フラッシュメモリ等の半導体メモリ素子、光ディスク等の記憶装置である。
【０１１４】
制御部５２は、例えば、ＡＳＩＣやＦＰＧＡ等の集積回路により実現される。また、制御部５２は、内部のＣＰＵまたはＭＰＵによって内部の記憶装置に記憶されたプログラムがＲＡＭを作業領域として実行されることで、広告情報取得部７１、場所情報取得部７２、情報提供部７３および決済処理部７４として機能する。
【０１１５】
なお、制御部５２の構成は、かかる構成に限られず、後述する情報処理を行う構成であれば他の構成であってもよい。また、情報管理装置４は不図示の読取装置を備えており、制御部５２は、読取装置を経由して記録媒体に記録されているプログラムを内部の記憶装置に読み込んだ後、かかるプログラムを実行することにより、上述した制御部５２の機能を実現することができる。なお、記録媒体としては、光ディスク、フレキシブルディスク、ハードディスク等が挙げられる。
【０１１６】
［５．１．広告情報取得部７１］
広告情報取得部７１は、広告主の装置から広告情報の配信要求を受け付ける。配信要求には広告情報が含まれ、かかる広告情報には、配信先や配信数などの配信条件と、配信対象の広告コンテンツの情報とが含まれる。広告情報取得部７１は、広告情報の配信要求を受け付けると、受け付けた広告情報を広告情報ＤＢ６１の広告情報テーブルに設定する。
【０１１７】
図１１は、広告情報ＤＢ６１に記憶される広告情報テーブルの一例を示す図である。図１１に示すように、広告情報テーブルは、「広告ＩＤ」に対して「配信条件」および「広告コンテンツ」を対応付けた情報を含む。
【０１１８】
「広告ＩＤ」は、受け付けられた配信要求毎に割り当てられる識別情報であり、広告情報取得部７１によって割り当てられる。「配信条件」は、配信要求で指定された広告コンテンツの配信先の条件である。「広告コンテンツ」は、配信対象の広告コンテンツであり、例えば、テキスト広告、静止画広告、動画広告、アニメーション広告、バナー広告などがある。
【０１１９】
「配信条件」は、例えば、地域、業種、店舗、時間帯などを配信先とする条件である。例えば、図１１に示す例では、広告ＩＤ「Ｏ１」の配信条件として「午後１時から午後２時の間に東京都千代田区にいるユーザ」が設定され、広告ＩＤ「Ｏ２」の配信条件として「東京都千代田区のカフェにいるユーザ」が設定され、広告ＩＤ「Ｏ３」の配信条件として、「バーＺにいるユーザ」が設定される。
【０１２０】
また、広告情報ＤＢ６１には、上述したクーポン情報やアクセス情報なども記憶しており、これらのクーポン情報やアクセス情報は、例えば、関連する店舗の場所と関連付けられて広告情報ＤＢ６１に記憶される。例えば、クーポン情報には、このクーポン情報が利用される店舗の場所情報が関連付けられ、また、アクセス情報には、アクセスにより取得される広告情報に対応する場所情報が関連付けられる。
【０１２１】
［５．２．場所情報取得部７２］
場所情報取得部７２は、無線ＬＡＮアクセスポイント２のＡＰ情報を事業者の端末装置から取得し、場所情報ＤＢ６２の場所情報テーブルに設定する。ＡＰ情報は、無線ＬＡＮアクセスポイント２のＡＰ−ＩＤと、無線ＬＡＮアクセスポイント２の設置場所に関する情報である設置場所情報とを関連付けた情報である。設置場所情報には、店舗名、業種、店舗位置などが含まれるが、さらに、店舗での混雑具合、客層、営業時間、提供商品や提供サービスの内容などを含めてもよい。
【０１２２】
図１２は、場所情報ＤＢ６２に記憶される場所情報テーブルの一例を示す図である。図１２に示すように、場所情報テーブルは、「ＡＰ−ＩＤ」、「店舗名」、「業種」および「店舗位置」などの場所情報を関連付けた情報である。「店舗名」、「業種」および「店舗位置」は、それぞれＡＰ−ＩＤに対応する無線ＬＡＮアクセスポイント２が設置された店舗の名称、業種および住所である。
【０１２３】
［５．３．情報提供部７３］
情報提供部７３は、無線端末３から送信された情報に応じた情報を広告情報ＤＢ６１から取得し、取得した情報を無線端末３へ送信する。
【０１２４】
例えば、情報提供部７３は、無線端末３から進入情報を取得した場合、進入情報に含まれるＡＰ−ＩＤに対応する場所情報を場所情報テーブルから取得する。場所情報は、「店舗名」、「業種」および「店舗位置」であるが、場所情報テーブルに店舗での混雑具合、客層、営業時間、提供商品や提供サービスの内容などがある場合、情報提供部７３は、これらの情報を取得することもできる。
【０１２５】
情報提供部７３は、場所情報を取得すると、かかる場所情報に応じた広告コンテンツを広告情報テーブルから抽出する。例えば、広告情報テーブルおよび場所情報テーブルがそれぞれ図１１および図１２に示す状態であり、かつ、進入情報に含まれるＡＰ−ＩＤが「Ａ１０２」である場合、情報提供部７３は、場所情報「バーＺ」を配信条件とする広告ＩＤ「Ｏ３」の広告コンテンツＹｃを広告情報テーブルから取得する。
【０１２６】
また、例えば、進入情報に含まれるＡＰ−ＩＤが「Ａ１０１」である場合、情報提供部７３は、業種「カフェ」および店舗位置「東京都千代田区」を配信条件とする広告ＩＤ「Ｏ２」の広告コンテンツＹｂを広告情報テーブルから取得する。
【０１２７】
なお、広告ＩＤ「Ｏ１」の配信条件が「東京都千代田区」および「午後１時から午後２時の間」であることから、情報提供部７３は、進入情報に含まれるＡＰ−ＩＤが「Ａ１０１」である場合、時間帯が午後１時から２時の間であれば広告ＩＤ「Ｏ１」の広告コンテンツＹａを広告情報テーブルから取得することもできる。情報提供部７３は、広告コンテンツＹａおよび広告コンテンツＹｂのいずれを取得するかを、例えば、広告コンテンツの配信単価や配信残数などによって決定することができる。
【０１２８】
また、情報提供部７３は、無線端末３から登録要求を受信した場合、登録要求に含まれる登録情報をユーザ情報ＤＢ６３に記憶する。登録情報には無線端末３のユーザＵがよく行く「エリア」の情報が含まれており、情報提供部７３は、「エリア」に含まれる場所情報に関連付けられたクーポン情報を広告情報ＤＢ６１から取得し、登録要求を行った無線端末３へ送信する。
【０１２９】
例えば、「東京都千代田区のカフェＸ」や「東京都千代田区のレストランＹ」のクーポン情報が広告情報ＤＢ６１に記憶されているとする。この場合、情報提供部７３は、無線端末３からの登録情報の「エリア」が「東京都千代田区」である場合、「カフェＸ」や「レストランＹ」のクーポン情報を広告情報ＤＢ６１から抽出し、登録要求を行った無線端末３へ送信する。
【０１３０】
また、情報提供部７３は、クーポン情報や広告コンテンツを送信する際に、広告情報ＤＢ６１からアクセス情報を抽出し、クーポン情報や広告コンテンツにアクセス情報を付加することもできる。
【０１３１】
［５．４．決済処理部７４］
決済処理部７４は、情報提供部７３による場所情報に応じた広告コンテンツの送信履歴に基づき、無線ＬＡＮアクセスポイント２を有する事業者（以下、ＡＰ事業者と記載する）に対する対価額を算出し、決済処理を行う。
【０１３２】
広告コンテンツの送信回数は、ＡＰ―ＩＤと関連付けて場所情報ＤＢ６２に記憶され、決済処理部７４は、場所情報を提供したＡＰ事業者毎に、場所情報ＤＢ６２に記憶された広告コンテンツの送信回数に基づき、ＡＰ事業者に対する対価額を算出し、決済処理を行う。なお、決済処理部７４は、例えば、通信ネットワーク６に接続された決済サーバ（図示せず）へ対価の情報を含む決済要求を行うことによって決済処理を行う。
【０１３３】
［６．情報提供システム１の処理フロー］
次に、実施形態に係る情報提供システム１による情報提供処理の手順について説明する。図１３および図１４は、情報提供システム１による情報提供処理フローを説明するための図である。以下においては、図１３を参照して無線端末３の情報処理を説明し、図１４を参照して情報管理装置４の情報処理を説明する。
【０１３４】
［６．１．無線端末３の処理フロー］
まず、実施形態に係る無線端末３の情報処理について説明する。図１３は、実施形態に係る無線端末３の情報処理の一例を示すフローチャートである。かかる動作は、無線端末３の制御部２６によって繰り返し実行される処理である。
【０１３５】
図１３に示すように、無線端末３の制御部２６は、ユーザ操作により情報（例えば、登録情報、リスト設定感度、進入検出感度など）が入力されたか否かを判定する（ステップＳ２０）。かかる処理において、ユーザ操作により情報が入力されたと判定すると（ステップＳ２０；Ｙｅｓ）、入力された情報を記憶部２５に記憶する（ステップＳ２１）。また、入力された情報が登録情報を含む場合、制御部２６は、情報管理装置４へ登録要求を送信する。
【０１３６】
ユーザ操作により情報が入力されていないと判定すると（ステップＳ２０；Ｎｏ）、制御部２６は、ＡＰ通信エリア７に無線端末３が進入したか否かを判定する（ステップＳ２２）。かかる処理において、ＡＰ通信エリア７に無線端末３が進入したと判定すると（ステップＳ２２；Ｙｅｓ）、制御部２６は、進入情報通知処理を行う（ステップＳ２３）。
【０１３７】
具体的には、制御部２６は、進入情報通知処理を開始すると、まず、無線端末３が進入したＡＰ通信エリア７の無線ＬＡＮアクセスポイント２のＡＰ−ＩＤがＡＰ−ＩＤリスト３１に含まれるか否かを判定する。ＡＰ−ＩＤリスト３１に進入したＡＰ通信エリア７に対応するＡＰ−ＩＤが含まれる場合、制御部２６は、進入したＡＰ通信エリア７に対応するＡＰ−ＩＤを含む進入情報を情報管理装置４へ送信する。
【０１３８】
ＡＰ通信エリア７に無線端末３が進入していないと判定すると（ステップＳ２２；Ｎｏ）、制御部２６は、情報管理装置４またはサイトサーバ８から情報を受信したか否かを判定する（ステップＳ２４）。情報を受信したと判定した場合（ステップＳ２４；Ｙｅｓ）、制御部２６は、受信した情報を表示部２２に表示し、また、記憶部２５の提供情報３５に追加する（ステップＳ２５）。
【０１３９】
情報を受信していないと判定した場合（ステップＳ２４；Ｎｏ）、制御部２６は、ＡＰ−ＩＤリスト３１を更新するか否かを判定する（ステップＳ２６）。かかる処理において、制御部２６は、行動履歴情報３４に基づいてＡＰ−ＩＤリスト３１を更新するか否かを判定する。ＡＰ−ＩＤリスト３１を更新すると判定すると（ステップＳ２６；Ｙｅｓ）、制御部２６は、ＡＰ−ＩＤリスト３１を更新する（ステップＳ２７）。
【０１４０】
ステップＳ２１、Ｓ２３、Ｓ２５、Ｓ２７の処理が終了した場合、または、ステップＳ２６において、ＡＰ−ＩＤリスト３１を更新しないと判定した場合（ステップＳ２６；Ｎｏ）、制御部２６は処理を終了する。
【０１４１】
［６．２．情報管理装置４の処理フロー］
次に、情報管理装置４の情報処理について説明する。図１４は、実施形態に係る情報管理装置４の情報処理を示すフローチャートである。かかる動作は、情報管理装置４の制御部５２によって繰り返し実行される処理である。
【０１４２】
図１４に示すように、制御部５２は、広告主端末５から広告情報の配信要求があるか否かを判定する（ステップＳ３０）。かかる処理において、広告情報の配信要求があると判定すると（ステップＳ３０；Ｙｅｓ）、制御部５２は、広告情報の配信要求を受け付け、配信要求に含まれる広告情報を広告情報ＤＢ６１の広告情報テーブルに追加して、広告情報テーブルを更新する（ステップＳ３１）。
【０１４３】
ステップＳ３０において、広告情報の配信要求がないと判定した場合（ステップＳ３０；Ｎｏ）、または、ステップＳ３１の処理が終了した場合、制御部５２は、通信部５０を介して無線端末３から送信される進入情報を取得したか否かを判定する（ステップＳ３２）。進入情報を取得したと判定した場合（ステップＳ３２；Ｙｅｓ）、制御部５２は、取得した進入情報に応じた広告コンテンツを広告情報ＤＢ６１の広告情報テーブルから抽出し（ステップＳ３３）、抽出した広告コンテンツを進入情報の送信元の無線端末３へ通信部５０を介して送信する（ステップＳ３４）。
【０１４４】
ステップＳ３２において、進入情報を取得していないと判定した場合（ステップＳ３２；Ｎｏ）、または、ステップＳ３４の処理が終了した場合、制御部５２は、無線端末３から登録要求があるか否かを判定する（ステップＳ３５）。かかる処理において、無線端末３から登録要求があると判定すると（ステップＳ３５；Ｙｅｓ）、制御部５２は、登録情報に応じたクーポン情報を広告情報ＤＢ６１から抽出し（ステップＳ３６）、抽出したクーポン情報を登録要求の送信元の無線端末３へ通信部５０を介して送信する（ステップＳ３７）。
【０１４５】
ステップＳ３５において、無線端末３から登録要求がないと判定した場合（ステップＳ３５；Ｎｏ）、または、ステップＳ３７の処理が終了した場合、制御部５２は処理を終了する。
【０１４６】
［７．変形例］
上述した情報管理装置４は、広告コンテンツの送信回数に基づいてＡＰ事業者への対価額を算出し、決済処理を行うようにしたが、クーポン情報の利用履歴に基づいてＡＰ事業者への対価額を算出し、決済処理を行うようにしてもよい。この場合、クーポン情報の提供元である店舗や事業者の装置（以下、店舗装置と記載する）において、クーポン情報の使用履歴の情報を場所情報ＤＢ６２に記憶し、決済処理部７４は、店舗装置から送信されるクーポン情報の使用履歴に基づいてＡＰ事業者への対価額を算出し、決済処理を行う。なお、クーポン情報の利用履歴には、クーポン情報によるユーザＵの商品またはサービスの購入履歴も含まれる。
【０１４７】
また、無線端末３の制御部２６は、無線ＬＡＮアクセスポイント２のＭＡＣアドレスである第１ＡＰ−ＩＤに基づいてＡＰ通信エリア７への進入を検出したが、ＥＳＳ−ＩＤと緯度経度情報を含む第２ＡＰ−ＩＤに基づいてＡＰ通信エリア７への進入を検出することができる。
【０１４８】
例えば、ＡＰ−ＩＤリスト３１が図５に示す状態であるとする。この場合、進入検出部４２は、無線ＬＡＮアクセスポイント２から送信される無線信号に含まれるＥＳＳ−ＩＤが「Bies9eds」であり、かつ、位置検出部２４によって検出された緯度経度情報が「緯度経度Ａ」である場合、ＡＰ−ＩＤリスト３１に対応するＡＰ通信エリア７へ無線端末３が進入したことを検出する。
【０１４９】
この場合、無線端末３の制御部２６は、第２ＡＰ−ＩＤを進入情報に含めて情報管理装置４へ送信する。情報管理装置４の制御部５２は、無線端末３から取得した進入情報に含まれるＥＳＳ−ＩＤと緯度経度情報に対応する第２ＡＰ−ＩＤが場所情報テーブルに含まれている場合、無線端末３が進入した無線ＬＡＮアクセスポイント２の設置場所に対応する広告コンテンツを無線端末３へ送信する。
【０１５０】
また、無線端末３から情報管理装置４へ送信される登録情報として「エリア」を一例に挙げて説明したが、「エリア」に代えて、例えば、ユーザＵの好きな業種、商品、サービスなどの「ジャンル」を登録情報とすることもできる。また、「エリア」と「ジャンル」とを登録情報とすることもできる。なお、「エリア」や「ジャンル」は複数設定することができる。
【０１５１】
また、無線端末３から情報管理装置４へ送信される登録情報に「エリア」や「ジャンル」の情報が含まれない場合であっても、無線ＬＡＮアクセスポイント２を介して登録情報を取得した場合には、情報提供部７３は、クーポン情報を無線端末３へ送信することができる。例えば、情報提供部７３は、登録情報を中継した無線ＬＡＮアクセスポイント２の場所情報を含むエリアまたは場所情報に対応するジャンルのクーポン情報を広告情報ＤＢ６１から抽出し、無線端末３へ送信する。
【０１５２】
また、上述においては、情報管理装置４の制御部５２は、広告コンテンツの抽出を場所情報に基づいて行うが、さらに、ユーザ情報ＤＢ６３に記憶したユーザ情報を考慮して広告コンテンツの抽出を行うこともできる。例えば、ユーザ情報ＤＢ６３に記憶されているユーザ情報にユーザＵの行動履歴（例えば、Ｗｅｂページの参照履歴や商品の購入履歴など）が含まれているとする。この場合、情報管理装置４の制御部５２は、進入情報に対応する場所情報に応じた広告コンテンツのうち、ユーザ情報に対応する広告コンテンツを広告情報ＤＢ６１から抽出する。
【０１５３】
なお、上述においては、ＡＰ−ＩＤの例として、ＭＡＣアドレスと、ＥＳＳ−ＩＤおよび緯度経度情報の組み合わせとを例に挙げて説明したが、無線ＬＡＮアクセスポイント２の識別情報であって無線端末３で取得できれば、上述した識別情報に限定されるものではない。
【０１５４】
また、設定情報３２に含まれる「クーポン情報利用」は、フラグに代えて、クーポン情報をＡＰ通信エリア７で利用した回数または頻度の閾値であってもよい。同様に、設定情報３２に含まれる「広告情報閲覧」は、フラグに代えて、無線ＬＡＮアクセスポイント２の設置場所に対応する広告情報へのアクセス回数または頻度の閾値であってもよい。
【０１５５】
また、上述においては、情報管理装置４は、無線ＬＡＮアクセスポイント２のＡＰ情報を事業者の端末装置から取得し、場所情報ＤＢ６２の場所情報テーブルに設定するが、無線端末３からの情報に基づいて、場所情報テーブルを設定することもできる。例えば、クーポン情報に設置場所情報を含め、無線端末３の制御部２６は、行動履歴情報３４に含まれるクーポン利用情報とＡＰ−ＩＤとをＡＰ情報として情報管理装置４へ送信することができる。
【０１５６】
例えば、行動履歴情報３４が図８に示す状態である場合、クーポン情報Ｃａの情報とＡＰ−ＩＤ「Ａ１０１」とを含む情報が無線端末３から情報管理装置４へ送信される。情報管理装置４の制御部５２は、無線端末３から送信されるクーポン情報Ｃａから店舗の設置場所情報を特定し、特定した店舗の設置場所情報と無線端末３から送信されたＡＰ−ＩＤと関連付けて場所情報テーブルに追加する。なお、この場合、情報管理装置４の記憶部５１には、クーポン情報Ｃａと設置場所情報とを関連付けた情報が記憶されており、制御部５２は、記憶部５１に記憶された情報に基づいて、クーポン情報Ｃａから店舗の設置場所情報を特定する。
【０１５７】
［８．効果］
実施形態にかかる情報提供システム１は、複数の無線ＬＡＮアクセスポイント２と、無線ＬＡＮ通信機能を有する無線端末３と、情報管理装置４とを有する。無線端末３は、リスト生成部４１と、進入検出部４２と、情報送信部４３と、情報受信部４４とを備える。リスト生成部４１は、無線端末３のユーザＵの行動履歴に応じた無線ＬＡＮアクセスポイント２のＡＰ−ＩＤ（識別情報の一例）のＡＰ−ＩＤリスト３１（リストの一例）を生成する。進入検出部４２は、ＡＰ−ＩＤリスト３１に含まれるＡＰ−ＩＤを有する無線ＬＡＮアクセスポイント２のＡＰ通信エリア７への進入を検出する。情報送信部４３は、進入検出部４２によってＡＰ通信エリア７への進入が検出された場合に、進入したＡＰ通信エリア７を有する無線ＬＡＮアクセスポイント２のＡＰ−ＩＤを情報管理装置４へ送信する。情報受信部４４は、情報送信部４３によるＡＰ−ＩＤの送信に応じて情報管理装置４から送信される広告コンテンツ（情報の一例）を受信する。情報管理装置４は、情報提供部７３を有しており、情報提供部７３は、無線端末３から送信されたＡＰ−ＩＤを含む進入情報を受信し、受信した進入情報に含まれるＡＰ−ＩＤに応じた広告コンテンツを無線端末３へ送信する。
【０１５８】
このように、無線端末３は、ユーザＵの行動履歴に応じたＡＰ−ＩＤリスト３１に基づいて情報管理装置４から情報を取得するため、ユーザＵの行動に応じた適切な広告コンテンツをユーザＵへ提供することができる。また、広告主は、ある場所によく行くユーザＵをターゲットとする配信条件で広告情報を入稿することができ、広告主にとって効率的かつ効果的に広告配信を行うことができる。
【０１５９】
また、情報管理装置４は、無線ＬＡＮアクセスポイント２のＡＰ−ＩＤと無線ＬＡＮアクセスポイント２の設置場所に関する場所情報とを関連付けて記憶する場所情報ＤＢ６２（場所情報記憶部の一例）を有する。情報提供部７３は、無線端末３から送信された無線ＬＡＮアクセスポイント２のＡＰ−ＩＤに対応する場所情報を場所情報ＤＢ６２から取得し、この場所情報に応じた情報を無線端末３へ送信する。
【０１６０】
これにより、ユーザＵが進入したＡＰ通信エリア７を有する無線ＬＡＮアクセスポイント２の設置場所に応じた適切な広告コンテンツを無線端末３のユーザＵへ提供することができる。
【０１６１】
また、無線端末３の情報受信部４４は、情報管理装置４からクーポン情報を取得する。そして、無線端末３のリスト生成部４１は、ユーザＵによるクーポン情報の利用場所に設置された無線ＬＡＮアクセスポイント２のＡＰ−ＩＤをＡＰ−ＩＤリスト３１に追加する。
【０１６２】
これにより、ユーザＵによるクーポン情報の利用に基づき、ＡＰ−ＩＤリスト３１を更新することができ、ユーザＵの行動履歴に応じたＡＰ−ＩＤリスト３１を容易に生成または更新することができる。
【０１６３】
また、無線端末３の情報送信部４３は、ユーザＵによって入力されたエリアを含む登録情報（入力情報の一例）を情報管理装置４へ送信する。情報管理装置４の情報提供部７３は、無線端末３から登録情報を受信し、この登録情報に応じたクーポン情報を無線端末３へ送信する。
【０１６４】
これにより、ユーザＵの情報に基づいてユーザＵの行動範囲を絞ることができ、利用される可能性がないクーポン情報が無線端末３へ送信されることを抑制することで、ユーザＵに提供するクーポン情報が多すぎてクーポン情報の効果が薄れることを回避できる。
【０１６５】
また、無線端末３の情報受信部４４は、広告情報へのアクセスのためのアクセス情報を取得し、無線端末３のリスト生成部４１は、広告情報へのアクセス結果に基づいて、この広告情報に対応する無線ＬＡＮアクセスポイント２のＡＰ−ＩＤをＡＰ−ＩＤリスト３１に追加する。
【０１６６】
このように、広告情報へのアクセス結果に基づき、ＡＰ−ＩＤリスト３１を更新するため、これによりユーザＵの行動履歴に応じたＡＰ−ＩＤリスト３１を容易に生成または更新することができる。
【０１６７】
また、リスト生成部４１は、ＡＰ通信エリア７への進入状態が所定の条件を満たす無線ＬＡＮアクセスポイント２のＡＰ−ＩＤをＡＰ−ＩＤリスト３１に追加する。
【０１６８】
これにより、無線端末３のユーザＵのＡＰ通信エリア７での状況に応じてＡＰ−ＩＤリスト３１を更新することができ、ユーザＵの行動履歴に応じたＡＰ−ＩＤリスト３１を容易に生成または更新することができる。
【０１６９】
また、リスト生成部４１は、無線ＬＡＮアクセスポイント２での滞在時間、および／または、無線ＬＡＮアクセスポイント２から受信される無線信号の電波強度に基づき、ＡＰ通信エリア７への進入状態を判定する。
【０１７０】
このように、滞在時間や電波強度に基づき、ＡＰ通信エリア７への進入状態を判定することにより、無線端末３のユーザＵのＡＰ通信エリア７への進入を適切に判定することができる。例えば、滞在時間が短い場合や電波強度が弱い場合には、ユーザＵはＡＰ通信エリア７での用事がない場合も多く、このような場合には、無線端末３がＡＰ通信エリア７で検出された場合でも、進入検出しないことで、進入検出を適切に行うことができる。
【０１７１】
また、情報管理装置４は、場所情報取得部７２と、決済処理部７４とを備える。場所情報取得部７２は、無線ＬＡＮアクセスポイント２を有するＡＰ事業者の装置から場所情報を取得して場所情報ＤＢ６２に記憶する。決済処理部７４は、情報提供部７３による場所情報に応じた広告コンテンツ（情報の一例）の送信回数に基づき、ＡＰ事業者に対する対価額を算出し、決済処理を行う。決済処理部７４は、広告情報の配信要求を受け付けた場合に、当該配信要求で指定される広告コンテンツの送信回数に基づいてＡＰ事業者に対する対価額を算出することができ、また、広告コンテンツの送信実績に基づいてＡＰ事業者に対する対価額を算出することができる。
【０１７２】
したがって、無線ＬＡＮアクセスポイント２を有するＡＰ事業者は、場所情報を広告配信業者の情報管理装置４へ提供することで、広告配信業者から情報提供の対価を得ることができる。したがって、無線ＬＡＮアクセスポイント２を有するＡＰ事業者が積極的に広告配信業者が提供する情報提供サービスに参加する動機付けとなり、情報提供サービスの規模の拡大を容易に行うことができる。
【０１７３】
また、情報管理装置４は、場所情報取得部７２と、決済処理部７４とを備える。場所情報取得部７２は、無線ＬＡＮアクセスポイント２を有するＡＰ事業者の装置から場所情報を取得して場所情報ＤＢ６２に記憶する。決済処理部７４は、場所情報に応じた広告コンテンツによる商品またはサービスの販売履歴に基づき、ＡＰ事業者に対する対価額を算出し、決済処理を行う。
【０１７４】
したがって、無線ＬＡＮアクセスポイント２を有するＡＰ事業者は、場所情報を広告配信業者の情報管理装置４へ提供することで、広告配信業者から情報提供の対価を得ることができる。したがって、無線ＬＡＮアクセスポイント２を有するＡＰ事業者が積極的に広告配信業者が提供する情報提供サービスに参加する動機付けとなり、情報提供サービスの規模の拡大を容易に行うことができる。
【０１７５】
［９．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７６】
上述した情報管理装置４は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１７７】
１  情報提供システム
２、２1〜２m  無線ＬＡＮアクセスポイント
３、３1〜３n  無線端末
４  情報管理装置
５  広告主端末
６  通信ネットワーク
７、７1〜７m  ＡＰ通信エリア
８  サイトサーバ
１１、２０、５２  無線ＬＡＮ通信部
１２  ＷＡＮ通信部
１３、２６  制御部
１４、２５、５１  記憶部
２１  無線ＷＡＮ通信部
２２  表示部
２３  操作部
２４  位置検出部
３１  ＡＰ−ＩＤリスト
３２  設定情報
３３  滞在状態判定テーブル
３４  行動履歴情報
３５  提供情報
４１  リスト生成部
４２  進入検出部
４３  情報送信部
４４  情報受信部
４５  表示制御部
５０  通信部
６１  広告情報ＤＢ
６２  場所情報ＤＢ
６３  ユーザ情報ＤＢ
７１  広告情報取得部
７２  場所情報取得部
７３  情報提供部
７４  決済処理部
【要約】
【課題】無線通信エリアに進入した無線端末に情報管理装置からの情報を提供することができる情報提供システム、無線端末、プログラムおよび情報提供方法を提供する。
【解決手段】実施形態に係る無線端末は、ユーザの行動履歴に応じた無線ＬＡＮアクセスポイントの識別情報のリストを有し、このリストに識別情報が含まれる無線ＬＡＮアクセスポイントの通信エリアへ進入した場合に、情報管理装置から進入場所に応じた情報を受信する。
【選択図】図１Ｂ【図１Ａ】
0005410632.tif 000002
【図１Ｂ】
0005410632.tif 000003
【図２】
0005410632.tif 000004
【図３】
0005410632.tif 000005
【図４】
0005410632.tif 000006
【図５】
0005410632.tif 000007
【図６】
0005410632.tif 000008
【図７】
0005410632.tif 000009
【図８】
0005410632.tif 000010
【図９】
0005410632.tif 000011
【図１０】
0005410632.tif 000012
【図１１】
0005410632.tif 000013
【図１２】
0005410632.tif 000014
【図１３】
0005410632.tif 000015
【図１４】
0005410632.tif 000016